(57)【要約】【課題】  単極双投スイッチをツリー状に接続することなくアンテナを切り替えられるようにする。【解決手段】  制御端子ＣＴＬ１に「Ｈ」レベルが供給されると、ＦＥＴ１のゲートに正電圧が供給されてＦＥＴ１はオンする。この際にダイオードＤ１が導通し、ＦＥＴ２のソースおよびＦＥＴ３，ＦＥＴ４のソースに正電圧が供給されるようになる。これにより、ＦＥＴ２〜ＦＥＴ４のゲート−ソース間の電位は負となってこれらのＦＥＴはオフするようになる。従って、アンテナＡＮＴ１からの受信信号はＦＥＴ１を通過して出力端子ＯＵＴに出力されるが、アンテナＡＮＴ２〜ＡＮＴ４の受信信号は出力されないようになる。【選択図】  図３
2007329816.tif 000002
【特許請求の範囲】
【請求項１】
第１入力端子と出力端子との間にドレイン−ソース間が接続され、ゲートに第１制御信号が印加されると共に、ゲート−ソース間に第１ダイオードが接続されている第１電界効果トランジスタと、
第２入力端子と前記出力端子との間にドレイン−ソース間が接続され、ゲートに第２制御信号が印加されると共に、ゲート−ソース間に第２ダイオードが接続されている第２電界効果トランジスタとを備え、
前記第１電界効果トランジスタあるいは前記第２電界効果トランジスタのゲートに印加された前記第１制御信号あるいは前記第２制御信号が、前記第１ダイオードあるいは前記第２ダイオードを介して他方の前記第２電界効果トランジスタあるいは前記第１電界効果トランジスタのソースに印加されて、当該電界効果トランジスタがオフされるようにしたことを特徴とする電子単極双投スイッチ。
【請求項２】
複数本のアンテナのうちのいずれか１本のアンテナを選択するよう切り替えるアンテナ切替装置であって、
前記複数本のアンテナのそれぞれが第１入力端子および第２入力端子に接続され、前記第１入力端子を選択する第１制御信号および前記第２入力端子を選択する第２制御信号に応じて、接続されている前記２本のアンテナのうちのいずれかのアンテナを選択する請求項１記載の電子単極双投スイッチが複数備えられ、
該複数の電子単極双投スイッチの出力同士が共通に接続され、前記複数の電子単極双投スイッチのいずれかに前記第１制御信号あるいは前記第２制御信号が供給された際に、前記制御信号が供給された前記電子単極双投スイッチから前記制御信号が出力されて他の前記電子単極双投スイッチに出力側から供給されることにより、前記複数本のアンテナのうちの前記制御信号に対応するいずれか１本のアンテナが選択されるようにしたことを特徴とするアンテナ切替装置。
【発明の詳細な説明】
【技術分野】
【０００１】
本発明は、複数の入力のいずれかを選択することができ、アンテナの切り替えに好適な電子単極双投スイッチおよびアンテナ切替装置に関する。
【背景技術】
【０００２】
従来、複数のアンテナで受信した同一の無線信号について、電波状況の優れたアンテナの信号を優先的に選択することで受信感度を向上させるようにしたダイバーシティ受信方式が知られている。
ダイバーシティ受信方式を適用した従来のＴＶ受信装置の構成例を図４に示す。図４に示すＴＶ受信装置においては、アンテナＡＮＴ１、アンテナＡＮＴ２、アンテナＡＮＴ３、アンテナＡＮＴ４の４本のアンテナを備えており、アンテナＡＮＴ１〜ＡＮＴ４は、ダイバーシティアンテナを構成するように互いに間隔を置いて配置されている。アンテナＡＮＴ１〜ＡＮＴ４は、スイッチ（ＳＷ）１０１，ＳＷ１０２，ＳＷ１０３，ＳＷ１０４のスイッチを介して共通に接続されてアンプ１０１に入力されている。ＳＷ１〜ＳＷ４は、アンテナＡＮＴ１〜ＡＮＴ４のうちの１本のアンテナを選択するようアンテナ切替回路１０２により制御されている。アンプ１０１で増幅されたアンテナＡＮＴ１〜ＡＮＴ４のうちの選択されたアンテナで受信されたテレビ信号はチューナ部１０３におけるテレビ受信機１０３ａに供給される。
【０００３】
テレビ受信機１０３ａにおいて、アンテナを切り替える操作子を操作すると、アンテナの切り替えを指示する指示信号がテレビ受信機１０３ａからアンテナ切替信号生成回路１０３ｂに供給される。アンテナ切替信号生成回路１０３ｂは、指示信号を受けるとアンテナ切替信号を生成してアンテナ切替回路１０２に供給する。この場合、アンテナ切替回路１０２において切り替えるアンテナの本数は４本とされていることから、アンテナ切替信号生成回路１０３ｂは、２ビットのアンテナ切替信号を生成し、アンテナ切替回路１０２は供給された２ビットのアンテナ切替信号をデコードして、ＳＷ１〜ＳＷ４のいずれかをオンするコントロール信号を生成して、ＳＷ１〜ＳＷ４にそれぞれ供給する。このコントロール信号により、ＳＷ１〜ＳＷ４のうちのテレビ受信機１０３ａが出力する指示信号に応じたスイッチがオンされ、オンされたスイッチに接続されている１本のアンテナが選択されるようになる。
【０００４】
ＳＷ１〜ＳＷ４は、ピンダイオードを用いたダイオードスイッチとされており、このダイオードスイッチの回路を図５に示す。
図５に示すダイオードスイッチにおいて、入力端子ＩＮにはアンテナＡＮＴ１〜ＡＮＴ４のうちのいずれかのアンテナが接続されており、出力端子ＯＵＴはアンプ１０１に接続されている。入力端子ＩＮにはピンダイオードＤ１０１のアノードが接続され、ピンダイオードＤ１０１のカソードは直流カット用のコンデンサＣ１０２を介して出力端子ＯＵＴに接続されている。また、電源ＶｃｃはチョークコイルＬ１０１を介してピンダイオードＤ１０１のアノードに接続されている。さらに、ピンダイオードＤ１０１のカソードはチョークコイルＬ１０２および抵抗Ｒ１０１を介してトランジスタ（ＴＲ）１０１のコレクタに接続されている。ＴＲ１０１のベースには抵抗Ｒ１０２を介してコントロール信号(ＣＴＬ)が供給されており、ＴＲ１０１のエミッタはアースされている。なお、ＴＲ１０１のベース・エミッタ間にはベースバイアスを与える抵抗Ｒ１０３が接続されている。また、電源Ｖｃｃとアース間に接続されたコンデンサＣ１０１およびチョークコイルＬ１０２と抵抗Ｒ１０１との接続点とアース間に接続されたコンデンサＣ１０３はバイパスコンデンサである。
【０００５】
このように構成されたダイオードスイッチにおいて、ＣＴＬ信号がローレベル(Ｌ)の時は、ＴＲ１０１はオフ状態となっておりピンダイオードＤ１０１に順電流を流す経路が存在しないため、ピンダイオードＤ１０１はハイインピーダンス状態となっている。この場合は、入力端子ＩＮから入力されたアンテナからの受信信号は、ピンダイオードＤ１０１を通過することができず、出力端子ＯＵＴから出力されないようになる。
また、ＣＴＬ信号がハイレベル(Ｈ)の時は、ＴＲ１０１はオン状態となって、電源Ｖｃｃ−チョークコイルＬ１０１−ピンダイオードＤ１０１−チョークコイルＬ１０２−抵抗Ｒ１０１−ＴＲ１０１の経路により、ピンダイオードＤ１０１に順電流が流れるようになる。このため、ピンダイオードＤ１０１のインピーダンスは低くなる。この場合は、入力端子ＩＮから入力されたアンテナからの受信信号は、ピンダイオードＤ１０１を通過して、コンデンサＣ１０２を介して出力端子ＯＵＴから出力されるようになる。
【発明の開示】
【発明が解決しようとする課題】
【０００６】
上記したように、図４に示すＴＶ受信装置のアンテナ切替回路１０２は出力する４つのコントロール信号のうちの１つだけを「Ｈ」レベルとして、残る３つを「Ｌ」レベルとすることにより、「Ｈ」レベルのコントロール信号が供給されるスイッチをオンして、当該スイッチに接続されているアンテナを選択するようにしている。しかしながら、アンテナ切替回路１０２により切り替えられる４つのダイオードスイッチは、トランジスタやピンダイオードなどの個別素子部品を使用しているため、信号を切り替えるスピードが遅く、動作も不安定になるという問題点があった。また、ダイオードスイッチは個別素子部品を使用しているため、部品点数が多くＴＶ受信装置の全体の体積が大きくなるという問題点もあった。
【０００７】
ところで、最近、ＩＣチップ化された単極双投スイッチ（ＳＰＤＴ；Single Pole Double Throw）が知られている。そこで、電子化されたＳＰＤＴを用いてアンテナＡＮＴ１〜ＡＮＴ４を切り替える切替回路を図６に示す。図６に示す切替回路は、図４におけるアンテナＡＮＴ１〜ＡＮＴ４とＳＷ１０１〜ＳＷ１０４までの回路に相当している。スイッチ（ＳＷ）１１１、ＳＷ１１２およびＳＷ１１３はＳＰＤＴとされ、ＳＷ１１１はアンテナＡＮＴ１とアンテナＡＮＴ２のいずれかを選択しており、ＳＷ１１２はアンテナＡＮＴ３とアンテナＡＮＴ４のいずれかを選択しており、ＳＷ１１３はＳＷ１１１の出力とＳＷ１１２の出力のいずれかを選択している。ＳＷ１１１において、供給されるコントロール信号（ＣＴＬ）１が「Ｌ」レベルの時は図示するように、可動接点端子ｃ１は固定接点端子ａ１側に切り替えられてアンテナＡＮＴ１が選択され、ＣＴＬ１が「Ｈ」レベルになると可動接点端子ｃ１は固定接点端子ｂ１側に切り替えられてアンテナＡＮＴ２が選択される。ＳＷ１１２、ＳＷ１１３も同様であり、供給されるＣＴＬ２，ＣＴＬ３が「Ｌ」レベルの時は図示するように、可動接点端子ｃ２，ｃ３は固定接点端子ａ２，ａ３側に切り替えられ、ＣＴＬ２，３が「Ｈ」レベルになると可動接点端子ｃ２，ｃ３は固定接点端子ｂ２，ｂ３側に切り替えられる。
【０００８】
図６に示す切替回路の真理値表を図８に示す。図８に示すように、ＣＴＬ１とＣＴＬ３を共に「Ｌ」レベルとすると、アンテナＡＮＴ１が選択される。このとき、ＣＴＬ２のレベルはいかようであってもよい。また、ＣＴＬ１を「Ｈ」レベル、ＣＴＬ３を「Ｌ」レベルとすると、アンテナＡＮＴ２が選択される。このとき、ＣＴＬ２のレベルはいかようであってもよい。さらに、ＣＴＬ２を「Ｌ」レベル、ＣＴＬ３を「Ｈ」レベルとすると、アンテナＡＮＴ３が選択される。このとき、ＣＴＬ１のレベルはいかようであってもよい。さらにまた、ＣＴＬ２とＣＴＬ３を共に「Ｈ」レベルとすると、アンテナＡＮＴ４が選択される。このとき、ＣＴＬ１のレベルはいかようであってもよい。
【０００９】
次に、図６の切替回路における電子化されたＳＰＤＴの等価回路を図７に示す。
図７に示すようにＳＰＤＴは、４つの電界効果トランジスタ（ＦＥＴ）を有しており、固定接点端子ａとアース間にＦＥＴ１１１のドレイン（Ｄ）−ソース（Ｓ）間が接続されており、固定接点端子ａと可動接点端子ｃとの間にＦＥＴ１１２のドレイン−ソース間が接続されている。また、固定接点端子ｂとアース間にＦＥＴ１１３のドレイン−ソース間が接続されており、固定接点端子ｂと可動接点端子ｃとの間にＦＥＴ１１４のドレイン−ソース間が接続されている。コントロール信号（ＣＴＬ）は抵抗Ｒ１１１を介してＦＥＴ１１１のゲート（Ｇ）に供給されると共に、抵抗Ｒ１１４を介してＦＥＴ１１４のゲートに供給される。さらに、ＣＴＬはインバータ（ＩＮＶ）で反転されて反転されたＣＴＬが抵抗Ｒ１１２を介してＦＥＴ１１２のゲートに供給されると共に、抵抗Ｒ１１３を介してＦＥＴ１１３のゲートに供給される。ここで、ＣＴＬが「Ｌ」レベルの時はＦＥＴ１１１およびＦＥＴ１１４のゲートに「Ｌ」レベルのＣＴＬが供給されるためオフするが、ＦＥＴ１１２およびＦＥＴ１１３のゲートには反転された「Ｈ」レベルのＣＴＬが供給されるためオンする。このため、固定接点端子ａと可動接点端子ｃ間が導通し、固定接点端子ｂはアースされ可動接点端子ｃ間は非導通となる。また、ＣＴＬが「Ｈ」レベルの時はＦＥＴ１１１およびＦＥＴ１１４のゲートに「Ｈ」レベルのＣＴＬが供給されるためオンするようになり、ＦＥＴ１１２およびＦＥＴ１１３のゲートには反転された「Ｌ」レベルのＣＴＬが供給されるためオフするようになる。このため、固定接点端子ａはアースされ可動接点端子ｃ間は非導通となり、固定接点端子ｂと可動接点端子ｃ間が導通するようになる。
【００１０】
このようにＳＰＤＴを用いた切替回路とすると、ＳＰＤＴをツリー状に接続する必要があり、多数のＳＰＤＴが必要になるという問題点があった。
そこで、本発明はを単極双投スイッチをツリー状に接続することなく入力を切り替えることのできる電子単極双投スイッチおよびアンテナ切替装置を提供することを目的としている。
【課題を解決するための手段】
【００１１】
上記目的を達成するために、本発明の電子単極双投スイッチは、第１電界効果トランジスタあるいは第２電界効果トランジスタのゲートに印加された第１制御信号あるいは第２制御信号が、第１ダイオードあるいは第２ダイオードを介して他方の第２電界効果トランジスタあるいは第１電界効果トランジスタのソースに印加されて、当該電界効果トランジスタがオフされるようにしたことをを最も主要な特徴としている。
【発明の効果】
【００１２】
本発明は、第１電界効果トランジスタあるいは第２電界効果トランジスタのゲートに印加された第１制御信号あるいは第２制御信号が、第１ダイオードあるいは第２ダイオードを介して他方の第２電界効果トランジスタあるいは第１電界効果トランジスタのソースに印加されて、当該電界効果トランジスタがオフされるようにしたことから、電子単極双投スイッチをツリー状に接続することなく複数の入力を切り替えることができる。このため、電子単極双投スイッチの必要数を極力少なくすることができるようになる。
【発明を実施するための最良の形態】
【００１３】
本発明の実施例のアンテナ切替装置を適用したダイバーシティ受信方式を行えるＴＶ受信装置の構成を示すブロック回路図を図１に示す。
図１に示すＴＶ受信装置においては、アンテナＡＮＴ１、アンテナＡＮＴ２、アンテナＡＮＴ３、アンテナＡＮＴ４の４本のアンテナを備えており、アンテナＡＮＴ１〜ＡＮＴ４は、ダイバーシティアンテナを構成するように互いに間隔を置いて配置されている。アンテナＡＮＴ１〜ＡＮＴ４は、電子単極双投スイッチ（ＳＰＤＴ）ＳＷ１とＳＰＤＴＳＷ２にそれぞれ設けられている２つずつの入力端子に接続されている。ＳＰＤＴＳＷ１とＳＰＤＴＳＷ２の出力端子は共通に接続されてコンデンサＣｏｕｔを介してアンプ１０に接続されている。ＳＰＤＴＳＷ１とＳＰＤＴＳＷ２にはデコーダ１１から出力されるコントロール信号が供給されて、アンテナＡＮＴ１〜ＡＮＴ４のうちの１本のアンテナを選択するように制御されている。アンプ１０により増幅されたアンテナＡＮＴ１〜ＡＮＴ４のうちの選択されたアンテナで受信されたテレビ信号はチューナ部１２におけるテレビ受信機１２ａに供給される。
【００１４】
テレビ受信機１２ａにおいて、より視聴状態が良くなるようアンテナを切り替える操作子を操作すると、アンテナの切り替えを指示する指示信号がテレビ受信機１２ａからアンテナ切替信号生成回路１２ｂに供給される。アンテナ切替信号生成回路１２ｂは、指示信号を受けるとアンテナ切替信号を生成してデコーダ１１に供給する。この場合、切り替えるアンテナの本数は４本とされていることから、アンテナ切替信号生成回路１２ｂは、２ビットのアンテナ切替信号を生成し、デコーダ１１は供給された２ビットのアンテナ切替信号をデコードして、４つのコントロール信号を生成して、ＳＰＤＴＳＷ１とＳＰＤＴＳＷ２にそれぞれ供給する。このコントロール信号により、ＳＰＤＴＳＷ１とＳＰＤＴＳＷ２の選択状態が制御されてテレビ受信機１２ａが出力する指示信号に応じたアンテナが選択されるようになる。
【００１５】
ＳＰＤＴＳＷ１にはコントロール信号が供給される２つの制御端子ＣＴＬ１，ＣＴＬ２が設けられ、ＳＰＤＴＳＷ２にはコントロール信号が供給される２つの制御端子ＣＴＬ３，ＣＴＬ４が設けられている。デコーダ１１が出力する４つのコントロール信号はＳＰＤＴＳＷ１とＳＰＤＴＳＷ２における制御端子ＣＴＬ１〜ＣＴＬ４にそれぞれ供給される。ここで、アンテナ切替信号生成回路１２ｂが出力する２ビットの切替信号ＴＶＤ１，ＴＶＤ２と、制御端子ＣＴＬ１〜ＣＴＬ４にそれぞれ供給されるコントロール信号によりアンテナＡＮＴ１〜ＡＮＴ４を選択する真理値表を図２に示す。図２に示すように、切替信号ＴＶＤ１，ＴＶＤ２が「Ｌ」「Ｌ」の時は制御端子ＣＴＬ１に供給されるコントロール信号のみが「Ｈ」レベルとなり、制御端子ＣＴＬ２〜ＣＴＬ４に供給されるコントロール信号は「Ｌ」レベルとなる。これにより、ＳＰＤＴＳＷ１の可動接点端子ｃ１が固定接点端子ａ１に接続されて、アンテナＡＮＴ１が選択される。なお、ＳＰＤＴＳＷ２の可動接点端子ｃ２は固定接点端子ａ２，ｂ２のいずれにも接続されない。
【００１６】
また、切替信号ＴＶＤ１，ＴＶＤ２が「Ｌ」「Ｈ」の時は制御端子ＣＴＬ２に供給されるコントロール信号のみが「Ｈ」レベルとなり、制御端子ＣＴＬ１，ＣＴＬ３，ＣＴＬ４に供給されるコントロール信号は「Ｌ」レベルとなる。これにより、ＳＰＤＴＳＷ１の可動接点端子ｃ１が固定接点端子ｂ１に接続されて、アンテナＡＮＴ２が選択される。なお、ＳＰＤＴＳＷ２の可動接点端子ｃ２は固定接点端子ａ２，ｂ２のいずれにも接続されない。さらに、切替信号ＴＶＤ１，ＴＶＤ２が「Ｈ」「Ｌ」の時は制御端子ＣＴＬ３に供給されるコントロール信号のみが「Ｈ」レベルとなり、制御端子ＣＴＬ１，ＣＴＬ２，ＣＴＬ４に供給されるコントロール信号は「Ｌ」レベルとなる。これにより、ＳＰＤＴＳＷ２の可動接点端子ｃ２が固定接点端子ａ２に接続されて、アンテナＡＮＴ３が選択される。なお、ＳＰＤＴＳＷ１の可動接点端子ｃ１は固定接点端子ａ１，ｂ１のいずれにも接続されない。さらにまた、切替信号ＴＶＤ１，ＴＶＤ２が「Ｈ」「Ｈ」の時は制御端子ＣＴＬ４に供給されるコントロール信号のみが「Ｈ」レベルとなり、制御端子ＣＴＬ１〜ＣＴＬ３に供給されるコントロール信号は「Ｌ」レベルとなる。これにより、ＳＰＤＴＳＷ２の可動接点端子ｃ２が固定接点端子ｂ２に接続されて、アンテナＡＮＴ４が選択される。なお、ＳＰＤＴＳＷ１の可動接点端子ｃ１は固定接点端子ａ１，ｂ１のいずれにも接続されない。
【００１７】
このようにＳＰＤＴＳＷ１とＳＰＤＴＳＷ２には、それぞれ２つずつの制御端子ＣＴＬ１，ＣＴＬ２あるいは制御端子ＣＴＬ３，ＣＴＬ４が設けられており、２つの制御端子のいずれにも「Ｈ」レベルのコントロール信号が供給されない場合は、接続されている２つのアンテナのうちのいずれのアンテナも選択しない状態となる。ただし、制御端子ＣＴＬ１〜ＣＴＬ４に供給されるコントロール信号のうちの１つは「Ｈ」レベルとされている。このように動作するＳＰＤＴＳＷ１とＳＰＤＴＳＷ２の具体的な構成を示す回路図を図３に示す。
図３に示すようにＳＰＤＴＳＷ１とＳＰＤＴＳＷ２は同じ回路構成とされており、アンテナＡＮＴ１は結合コンデンサＣ１を介してＳＰＤＴＳＷ１の固定接点端子ａ１に接続され、アンテナＡＮＴ２は結合コンデンサＣ２を介してＳＰＤＴＳＷ１の固定接点端子ｂ１に接続されている。固定接点端子ａ１と可動接点端子ｃ１との間にＦＥＴ１のドレイン（Ｄ）−ソース（Ｓ）間が接続されており、ＦＥＴ１のゲート(Ｇ)は抵抗Ｒ１を介して制御端子ＣＴＬ１に接続されている。また、ＦＥＴ１のソースとアース間に抵抗Ｒ２が接続されており、ＦＥＴ１のゲートにはダイオードＤ１のアノードが、ソースにはダイオードＤ１のカソードが接続されている。さらに、固定接点端子ｂ１と可動接点端子ｃ１との間にＦＥＴ２のドレイン（Ｄ）−ソース（Ｓ）間が接続されており、ＦＥＴ２のゲート(Ｇ)は抵抗Ｒ３を介して制御端子ＣＴＬ２に接続されている。さらにまた、ＦＥＴ２のソースとアース間に抵抗Ｒ４が接続されており、ＦＥＴ２のゲートにはダイオードＤ２のアノードが、ソースにはダイオードＤ２のカソードが接続されている。
【００１８】
ＳＰＤＴＳＷ２の回路構成も同様であり、アンテナＡＮＴ３は結合コンデンサＣ３を介してＳＰＤＴＳＷ２の固定接点端子ａ２に接続され、アンテナＡＮＴ４は結合コンデンサＣ４を介してＳＰＤＴＳＷ２の固定接点端子ｂ２に接続されている。固定接点端子ａ２と可動接点端子ｃ２との間にＦＥＴ３のドレイン（Ｄ）−ソース（Ｓ）間が接続されており、ＦＥＴ３のゲート(Ｇ)は抵抗Ｒ５を介して制御端子ＣＴＬ３に接続されている。また、ＦＥＴ３のソースとアース間に抵抗Ｒ６が接続されており、ＦＥＴ３のゲートにはダイオードＤ３のアノードが、ソースにはダイオードＤ３のカソードが接続されている。さらに、固定接点端子ｂ２と可動接点端子ｃ２との間にＦＥＴ４のドレイン（Ｄ）−ソース（Ｓ）間が接続されており、ＦＥＴ４のゲート(Ｇ)は抵抗Ｒ７を介して制御端子ＣＴＬ４に接続されている。さらにまた、ＦＥＴ４のソースとアース間に抵抗Ｒ８が接続されており、ＦＥＴ４のゲートにはダイオードＤ４のアノードが、ソースにはダイオードＤ４のカソードが接続されている。さらにまた、ＳＰＤＴＳＷ１の可動接点端子ｃ１とＳＰＤＴＳＷ２の可動接点端子ｃ２とは共通に接続されて直流カット用のコンデンサＣｏｕｔを介して出力端子ＯＵＴに接続されている。この出力端子ＯＵＴはアンプ１０の入力端子に接続されている。
【００１９】
図３に示すＳＰＤＴＳＷ１とＳＰＤＴＳＷ２において、ＦＥＴ１〜ＦＥＴ４はゲート−ソース間の電位が負となった際にオフするようになる。そこで、図２に示す真理値表のように制御端子ＣＴＬ１にのみ「Ｈ」レベルが供給されると、ＦＥＴ１のゲートには正電圧が供給されるため、ＦＥＴ１はオンする。この際に、ダイオードＤ１のカソードに正電圧が供給されるためダイオードＤ１は導通し、カソードに正電圧が現れるようになる。この正電圧は、ＦＥＴ２のソースに供給されると共に、可動接点端子ｃ１および可動接点端子ｃ２を介してＳＰＤＴＳＷ２にも供給されて、ＦＥＴ３，ＦＥＴ４のソースに正電圧が供給されるようになる。これにより、ＦＥＴ２〜ＦＥＴ４のゲート−ソース間の電位は負となって逆バイアスされることからこれらのＦＥＴはオフするようになる。従って、アンテナＡＮＴ１からの受信信号はＦＥＴ１を通過して出力端子ＯＵＴに出力されるが、アンテナＡＮＴ２〜ＡＮＴ４の受信信号は出力されないようになる。なお、ＦＥＴ１のゲート−ソース間にはダイオードＤ１の順方向電圧とされる小さな正電圧しか印加されないが、ＦＥＴ１はゲート−ソース間の電位が０Ｖでもオンするためオンは維持されるようになる。
【００２０】
また、例えば、制御端子ＣＴＬ４にのみ「Ｈ」レベルが供給された場合は、ＦＥＴ４のゲートには正電圧が供給されるため、ＦＥＴ４はオンする。この際に、ダイオードＤ４のカソードに正電圧が供給されるためダイオードＤ４は導通し、カソードに正電圧が現れるようになる。この正電圧は、ＦＥＴ３のソースに供給されると共に、可動接点端子ｃ２および可動接点端子ｃ１を介してＳＰＤＴＳＷ１にも供給されて、ＦＥＴ１，ＦＥＴ２のソースに正電圧が供給されるようになる。これにより、ＦＥＴ１〜ＦＥＴ３のゲート−ソース間の電位は負となって逆バイアスされることからこれらのＦＥＴはオフするようになる。従って、アンテナＡＮＴ４からの受信信号はＦＥＴ４を通過して出力端子ＯＵＴに出力されるが、アンテナＡＮＴ１〜ＡＮＴ３の受信信号は出力されないようになる。なお、ＦＥＴ４のゲート−ソース間にはダイオードＤ４の順方向電圧とされる小さな正電圧しか印加されないが、ＦＥＴ４はゲート−ソース間の電位が０Ｖでもオンするためオンは維持されるようになる。また、ＦＥＴ２およびＦＥＴ３も同様に動作するようになり、ＦＥＴ２がオンするとＡＮＴ２が選択され、ＦＥＴ３がオンするとＡＮＴ３が選択されるようになる。
【産業上の利用可能性】
【００２１】
以上の説明では、４本のアンテナを切り替えるようにしたが、本発明はこれに限ることはなく任意数の電子単極双投スイッチを用いることにより、ＳＰＤＴ×２以内の本数のアンテナを切り替えることができる。なお、電子単極双投スイッチは、アンテナの切り替えに限定されるものではなく、一般的な信号を切り替える電子スイッチとして電子回路一般に適用することができる。
【図面の簡単な説明】
【００２２】
【図１】本発明の実施例のアンテナ切替装置を適用したダイバーシティ受信方式を行えるＴＶ受信装置の構成を示すブロック回路図である。
【図２】図２に示すＴＶ受信装置におけるコントロール信号によりアンテナＡＮＴ１〜ＡＮＴ４を選択する真理値表の図表である。
【図３】本発明のアンテナ切換回路におけるＳＰＤＴＳＷの具体的な構成を示す回路図である。
【図４】ダイバーシティ受信方式を適用した従来のＴＶ受信装置の構成例を示すブロック図である。
【図５】図５に示すＴＶ受信装置におけるダイオードスイッチの構成を示す回路図である。
【図６】従来のＳＰＤＴを用いてアンテナを切り替える切替回路の構成を示すブロック図である。
【図７】従来のＳＰＤＴの構成を示す等価回路図である。
【図８】図６に示す切替回路の真理値表を示す図表である。
【符号の説明】
【００２３】
１０  アンプ、１１  デコーダ、１２  チューナ部、１２ａ  テレビ受信機、１２ｂ  アンテナ切替信号生成回路、１０１  アンプ、１０２  アンテナ切替回路、１０３  チューナ部、１０３ａ  テレビ受信機、１０３ｂ  アンテナ切替信号生成回路、ＳＷ１，ＳＷ２  単極双投スイッチ（ＳＰＤＴ）
【図１】
2007329816.tif 000003
【図２】
2007329816.tif 000004
【図３】
2007329816.tif 000005
【図４】
2007329816.tif 000006
【図５】
2007329816.tif 000007
【図６】
2007329816.tif 000008
【図７】
2007329816.tif 000009
【図８】
2007329816.tif 000010